【事件の表示】
　特許第２７４６０５６号「防水パンのレベル調節方法」の請求項２及び３に係る特許に対する特許異議の申立てについて、次のとおり決定する。
【結　論】
　訂正を認める。
　特許第２７４６０５６号の請求項２及び３に係る特許を維持する。
【理　由】
１．手続きの経緯
  本件特許第２７４６０５６号に係る発明は、平成５年６月１６日に特許出願され、平成１０年２月１３日にその特許権の設定の登録がなされ、その後、鈴木光子より請求項２及び３に係る発明の特許に対して、特許異議の申立てがなされ、次いで、取消理由通知がなされ、その指定期間内である平成１１年１０月２９日に訂正請求がなされたものである。
２．訂正請求について
（２−１）訂正請求の趣旨及び訂正の内容
 上記訂正請求の趣旨は、特許第２７４６０５６号の明細書を訂正請求書に添付した訂正明細書のとおり訂正することを求めることである。
 訂正の内容は以下のとおりである。
イ、訂正事項１
    特許請求の範囲の減縮を目的として、請求項２、３を次の通り訂正する。    
『【請求項２】周囲部分に比べて高位となっている高段部を有する防水パン本体と、該高段部の下面側に設けられた足ボルトとを有する防水パンのレベルを調節する方法において、
　該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにした方法であって、該高段部の下面に補強アングル又は補強フレームが固着されており、該足ボルトは該補強アングル又は補強フレームに固着されたナットに螺着されていることを特徴とする防水パンのレベル調節方法。
　【請求項３】請求項２において、前記高段部は壁パネル載置部である防水パンのレベル調節方法。』
ロ、訂正事項２
   上記訂正事項１による特許請求の範囲の減縮に伴い生じる特許請求の範囲の記載と、考案の詳細な説明の記載との不整合を回避するために、明瞭でない記載の釈明を目的として、段落【０００５】を次のとおり訂正する。
 『請求項２の防水パンのレベル調節方法は、周囲部分に比べて高位となっている高段部を有する防水パン本体と、該高段部の下面側に設けられた足ボルトとを有する防水パンのレベルを調節する方法において、該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにした方法であって、該高段部の下面に補強アングル又は補強フレームが固着されており、該足ボルトは該補強アングル又は補強フレームに固着されたナットに螺着されていることを特徴とするものである。』
ハ、訂正事項３
  誤記の訂正を目的として、
　明細書段落【００１８】の「足ボルト５０は、下側の開口５２に挿通されている。足ボルト５０の鉛直上方位置において」とあるのを、
『足ボルト２２は、下側の開口５０に挿通されている。足ボルト２２の鉛直上方位置において』と、
　段落【００２４】の「防水パン６４の下側に補強フレーム７０がオーバーレイ等により固着されており、この補強フレーム７０に溶接等により固着されたナット（図示略）に足ボルト７２，７４が螺着されている。フレーム７０には」とあるのを、
『防水パン６４の下側に補強フレーム７０Ｆがオーバーレイ等により固着されており、この補強フレーム７０Ｆに溶接等により固着されたナット（図示略）に足ボルト７２，７４が螺着されている。フレーム７０Ｆには』と、
　【符号の説明】の「１８，７０，９０　補強フレーム」とあるのを、
『１８，７０Ｆ，９０　補強フレーム』と訂正し、
それにともない図面の第１０図を別紙のものに訂正する。
（２−２）訂正の目的の適否、及び新規事項・拡張・変更の存否
   上記訂正事項１は、特許請求の範囲の減縮に該当し、
   また訂正事項２は、特許請求の範囲の記載と考案の詳細な説明の記載との不整合を回避するために行う明瞭でない記載の釈明に該当し、さらに、訂正事項３は、誤記の訂正を目的にするものということができる。
  これら訂正事項１乃至３は、願書に添付した明細書及び図面に記載された事項の範囲内の訂正であり、実質的に特許請求の範囲を拡張又は変更するものではない。
（２−３）独立特許要件の判断
（２−３−１）訂正明細書の請求項２及び３に係る発明
　訂正明細書の請求項２及び３に係る発明は、訂正明細書の特許請求の範囲の請求項２及び３に記載された次のとおりのものである。
  【請求項２】　周囲部分に比べて高位となっている高段部を有する防水パン本体と、該高段部の下面側に設けられた足ボルトとを有する防水パンのレベルを調節する方法において、
　該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにした方法であって、
　該高段部の下面に補強アングル又は補強フレームが固着されており、
　該足ボルトは該補強アングル又は補強フレームに固着されたナットに螺着されていることを特徴とする防水パンのレベル調節方法。
　　【請求項３】　請求項２において、前記高段部は壁パネル載置部である防水パンのレベル調節方法。
（２−３−２）刊行物の記載事項
  当審が先に通知した取消理由で引用した、その出願の日前の出願であって、その出願後に出願公開された実願平４−４６５５５号（実開平６−８４６７号）の願書に最初に添付した明細書又は図面（以下、「先願明細書」という）には、訂正明細書の請求項２及び３に係る発明に関連する事項として、以下の事項が記載されているものと認める。
　当該先願の明細書には、防水パンの高さ調節を行うアジャスター脚の取付構造に関するものが記載されており、特に同明細書の段落【００１３】に「洗い場部１１用の高さ調節部２は、図３に示すように、上記架台５の端面や側面に上下一対のＬ型受け材２ａを平行状に必要対固定し、Ｌ型受け材２ａ，２ａの水平部２ｂ，２ｂに挿通孔２ｄ，２ｄを開設し、且つ下側のＬ型受け材２ａに挿通孔２ｄと孔芯を一致させてナット部材２ｅを固着し、該ナット部材２ｅに、上端に切り満２ｃ’を有するアジャスト脚２ｃを上下動可能に螺着して、アジャスト脚２ｃが丁度前記水切り部３の壁載せ面２３の直下に位置するように配設されている」が、また同明細書の段落【００１７】に「壁載せ面２３及び浴槽載置面２１ａには操作孔６穿設用の印７が付設されている」が、また同明細書の段落【００１８】に「前記印７から所望の穿孔具で操作孔６を穿設し、該操作孔６を利用してドライバー等の工具８を進入させて先端を切り溝２ｃ’に係合し、回転させることでアジャスト脚２ｃ全てを操作して高さ調節する」が、さらに同明細書の段落【００２０】に「洗い場部１１側の操作孔６は、図３に示すように、操作孔６よりも若干広い面積を有するシールテープ９で水密状に塞がれる」が記載されている。
（２−３−３）対比・判断
  イ、訂正明細書の本件請求項２に係る発明と、上記先願明細書に記載の考案とを比較すると、刊行物には、本件請求項２に係る発明の構成の一部の「高段部の下面に補強アングル又は補強フレームが固着されており、足ボルトは該補強アングル又は補強フレームに固着されたナットに螺着されている」（以下「構成要件Ａ」という。）点の記載がなく、またそれを窺わせる示唆もなく、かつ当該技術分野において、当該構成要件Ａが自明な技術的事項でもなく、そして上記構成要件Ａを具有する本件発明が、訂正明細書記載の特有の作用効果を奏するものである。
　したがって、訂正明細書の請求項２に係る発明は、上記先願明細書に記載された考案と同一であるとはいうことができない。
　また、他に本件請求項２に係る発明が、独立して特許を受けることができない理由を発見しない。
　よって、訂正明細書の請求項２に係る発明は、特許出願の際独立して特許を受けることができるものである。
  ロ、訂正明細書の請求項３に係る発明は、訂正明細書の請求項２に係る発明を技術的に限定したものであるから、訂正明細書の請求項２に係る発明が独立して特許を受けることができない理由が存在しない以上、訂正明細書の請求項３に係る発明は、特許出願の際独立して特許を受けることができるものである。
（２−３−４）むすび
  以上のとおりであるから、上記訂正請求は、特許法等の一部を改正する法律（平成６年法律第１１６号）附則第６条第１項の規定により、なお従前の例によるとされる、特許法第１２０条の４第２項及び同第３項において準用する特許 法第１２６条第２乃至４項の規定に適合するので、当該訂正を認める。
３．特許異議申立について
（３−１）特許異議申立の理由の概要   
特許異議申立人鈴木光子は、甲第１号証（実願平４−４６５５５号（実開平６−８４６７号）のＣＤ−ＲＯＭ）を提出し、本件請求項２に係る発明は、その出願の日前の出願であって、その出願後に出願公開された実願平４−４６５５５号（実開平６−８４６７号）の願書に最初に添付した明細書又は図面（先願明細書）に記載された考案と同一であるから、特許法第２９条の２第１項の規定により特許を受けることができないものであり、その特許を取り消すべき旨主張している。
（３−２）本件請求項２及び３に係る発明
　本件請求項２及び３に係る発明は、訂正明細書の特許請求の範囲の請求項２及び３に記載されたとおりのものと認める。（（２−３−１）参照）
（３−３）特許異議申立についての当審の判断
　上記２（２−３）で示したように、本件請求項２及び３に係る発明は、先願明細書に記載された考案と同一であるとすることができない。
　したがって、特許異議申立人の主張は採用できない。
４．むすび
　以上のとおりであるから、本件特許異議申立ての理由及び提出された証拠方法によっては、本件請求項２及び３に係る発明の特許を取り消すことはできない。
　また、他に本件請求項２及び３に係る発明の特許を取り消すべき理由を発見しない。
　よって、結論のとおり決定する。
【異議決定日】
平成１２年２月１６日（２０００．２．１６）
【訂正の要旨】
本件訂正は、特許請求の範囲の減縮、明りょうでない記載の釈明、誤記の訂正を目的として、願書に添付した明細書及び図面の記載を下記の（１）ないし（３）のように訂正するものである。
（１）　特許請求の範囲の減縮を目的として
　　【請求項２】　周囲部分に比べて高位となっている高段部を有する防水パン本体と、該高段部の下面側に設けられた足ボルトとを有する防水パンのレベルを調節する方法において、
　該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにしたことを特徴とする防水パンのレベル調節方法。
　　【請求項３】　請求項２において、前記高段部は壁パネル載置部である防水パンのレベル調節方法。」
とあるのを
　　【請求項２】　周囲部分に比べて高位となっている高段部を有する防水パン本体と、該高段部の下面側に設けられた足ボルトとを有する防水パンのレベルを調節する方法において、
　該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにした方法であって、
　該高段部の下面に補強アングル又は補強フレームが固着されており、
　該足ボルトは該補強アングル又は補強フレームに固着されたナットに螺着されていることを特徴とする防水パンのレベル調節方法。
　　【請求項３】　請求項２において、前記高段部は壁パネル載置部である防水パンのレベル調節方法。』
と訂正する。
（２）特許請求の範囲の記載と発明の詳細な説明の記載との整合を図るため、明瞭でない記載の釈明を目的として、
段落【０００５】の「請求項２の防水パンのレベル調節方法は、周囲部分に比べて高位となっている高段部を有する防水パン本体と、該高段部の下面側に設けられた足ボルトとを有する防水パンのレベルを調節する方法において、該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにしたことを特徴とするものである。」
とあるのを
『　請求項２の防水パンのレベル調節方法は、周囲部分に比べて高位となっている高段部を有する防水パン本体と、該高段部の下面側に設けられた足ボルトとを有する防水パンのレベルを調節する方法において、該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにした方法であって、該高段部の下面に補強アングル又は補強フレームが固着されており、該足ボルトは該補強アングル又は補強フレームに固着されたナットに螺着されていることを特徴とするものである。』
と訂正する。
（３）誤記の訂正を目的として段落【００１８】の「足ボルト５０は、下側の開口５２に挿通されている。足ボルト５０の鉛直上方位置において」とあるのを、
『足ボルト２２は、下側の開口５０に挿通されている。足ボルト２２の鉛直上方位置において』と、
段落【００２４】の「防水パン６４の下側に補強フレーム７０がオーバーレイ等により固着されており、この補強フレーム７０に溶接等により固着されたナット（図示略）に足ボルト７２，７４が螺着されている。フレーム７０には」とあるのを
『防水パン６４の下側に補強フレーム７０Ｆがオーバーレイ等により固着されており、この補強フレーム７０Ｆに溶接等により固着されたナット（図示略）に足ボルト７２，７４が螺着されている。フレーム７０Ｆには』と訂正し、
【符号の説明】の「１８，７０，９０　補強フレーム」とあるのを、
『１８，７０Ｆ，９０　補強フレーム』
と訂正し、それにともない図面の第１０図を別紙のものに訂正する。
（５４）【発明の名称】
防水パンのレベル調節方法
（５７）【特許請求の範囲】
　　【請求項１】　防水パン本体と、該防水パン本体の上面に張り付けられた床材と、該防水パン本体の下面側に設けられた足ボルトとを有する防水パンのレベルを調節する方法において、
　該防水パン本体のうち前記足ボルトの上方部位に貫通孔を設けておき、該貫通孔に上方から工具を差し込んで該足ボルトを回転させて防水パン本体をレベル調整し、その後、該貫通孔をテープで塞ぎ、このテープの上から前記床材を張り付けるようにしたことを特徴とする防水パンのレベル調節方法。
　　【請求項２】　周囲部分に比べて高位となっている高段部を有する防水パン本体と、該高段部の下面側に設けられた足ボルトとを有する防水パンのレベルを調節する方法において、
　該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにした
方法であって、
　
該高段部の下面に補強アングル又は補強フレームが固着されており、
　該足ボルトは該補強アングル又は補強フレームに固着されたナットに螺着されている
　　【請求項３】　請求項２において、前記高段部は壁パネル載置部である防水パンのレベル調節方法。
【発明の詳細な説明】
　　　【０００１】
　　【産業上の利用分野】
　本発明は防水パンのレベル調節方法に係り、特に足ボルトを簡単に回転させることができ、レベル調整作業がきわめて容易かつ迅速に行なえる防水パンのレベル調節方法に関する。
　　　【０００２】
　　【従来の技術】
　防水パンは、ユニットバスルームなどのユニットルームの床面を構成するための部材である。この防水パンの裏面には足ボルトが螺着されており、該足ボルトを回すことにより防水パンのレベル調節を行なうよう構成されている。
　　　【０００３】
　　【発明が解決しようとする課題】
　従来の防水パンにおいては、そのレベル調節を行なうには、防水パンの側方から工具を防水パンの下側（裏側）に差し込まなければならず、作業性が悪かった。また、ユニットルーム構築スペースの周囲に壁が立設されていると、防水パンの下側に工具を差し込むことができず、防水パンのレベル調節が著しく困難であった。
　　　【０００４】
　　【課題を解決するための手段】
　請求項１の防水パンのレベル調節方法は、防水パン本体と、該防水パン本体の上面に張り付けられた床材と、該防水パン本体の下面側に設けられた足ボルトとを有する防水パンのレベルを調節する方法において、該防水パン本体のうち前記足ボルトの上方部位に貫通孔を設けておき、該貫通孔に上方から工具を差し込んで該足ボルトを回転させて防水パン本体をレベル調整し、その後、該貫通孔をテープで塞ぎ、このテープの上から前記床材を張り付けるようにしたことを特徴とするものである。
　　　【０００５】
　請求項２の防水パンのレベル調節方法は、周囲部分に比べて高位となっている高段部を有する防水パン本体と、該高段部の下面側に設けられた足ボルトとを有する防水パンのレベルを調節する方法において、該足ボルトの上方の前記高段部に貫通孔を設けておき、該貫通孔に上方から工具を差し込んで該足ボルトを回転させて防水パン本体をレベル調節し、その後、該貫通孔をテープで塞ぐようにした
方法であって、該高段部の下面に補強アングルは補強フレームが固着されており、該足ボルトは該補強アングル又は補強フレームに固着されたナットに螺着されている
　　　【０００６】
　なお、請求項２において、高段部としては例えば壁パネル載置部が挙げられる。
　　　【０００７】
　　【作用】
　請求項１，２の防水パンのレベル調節方法においては、貫通孔を通して上方から工具を差し込み、該足ボルトの長さを変化させることによって、防水パンの高さを調節できる。従って、工具を側方から該防水パンの下側に差し込むことなく、該防水パンのレベル調節を行なえる。
　　　【０００８】
　請求項１においては、この貫通孔は、テープと、その上に張り付けられた床材（例えばタイル）によって塞がれるため、漏水のおそれは全くない。
　　　【０００９】
　請求項２の防水パンのレベル調節方法においても、貫通孔はテープで塞がれる。請求項２では、貫通孔は高段部に設けられているため、この貫通孔が水に浸されることがなく、このテープによって十分に漏水が防止される。
　　　【００１０】
　　【実施例】
　以下図面を参照して実施例について説明する。第１図は本発明の実施例に係る防水パンのレベル調節方法を示す要部縦断面図、第２図及び第３図は同方法を説明する要部斜視図、第４図は同方法におけるタイル張り付け状態を説明する縦断面図である。
　　　【００１１】
　この防水パン１０は、ＦＲＰ（ガラス繊維強化樹脂）製の防水パン本体１２と、該防水パン本体１２の上面に接着剤１４で張り付けられたタイル１６と、防水パン本体１２の裏面（下面）にオーバーレイなどにより固着された補強フレーム１８とを備えている。この補強フレーム１８にはナット２０が溶接等により固着されており、該ナット２０に足ボルト２２が螺着されている。２４は床スラブを示す。
　　　【００１２】
　補強フレーム１８には、この足ボルト２２の上端が挿通される開口２６が設けられている。足ボルト２２の上端面には、足ボルト２２を回転させるための工具２８の係合溝３０が設けられている。防水パン本体１２のうち足ボルト２２の鉛直上方位置には、この工具２８を挿通させるための貫通孔３２が穿設されている。
　　　【００１３】
　タイル１６は、この貫通孔３２が露出するように、該貫通孔３２の部分を残して予め防水パン本体１２の上面に張り付けられている。現場に搬入され、床スラブ２４上にこの防水パン１０を敷設した後、工具２８を貫通孔３２に上方から差し込み、ナット２０を回転させ、防水パン１０のレベル出しを行なう。
　　　【００１４】
　レベル調整が終了した後、第２図に示すように、接着剤（例えば、商品名ネジロック）３４を貫通孔３２内に垂らし込み、足ボルト２２をナット２０に対し固着させる。然る後、第３図に示すように、ステンレステープ３６を防水パン本体１２に張り付け、貫通孔３２を塞ぐ。（なお、このとき、テープ貼付面の汚れやほこりを十分に取っておく。）次いで、第４図に示す如く、タイル３８を防水パン本体１２に張り付け、その後タイル３８の周囲に目地を充填し、防水パンのレベル調節作業を終了する。
　　　【００１５】
　このような防水パンのレベル調節方法によると、防水パン１０の上側から工具２８を用いて足ボルト２２を回転させることができ、レベル調節作業がきわめて容易かつ迅速に行なえる。
　　　【００１６】
　第５図乃至第９図は本発明の別の実施例に係る防水パンのレベル調節方法を説明する断面図である。
　　　【００１７】
　防水パン４０の周縁部分には、壁パネル４２（第８，９図参照）を立設するための壁パネル載置部４４が設けられている。この壁パネル載置部４４の下側には補強アングル４６がオーバーレイなどにより固着されている。この補強アングル４６にナット４８（第６図）が溶接等により固着されており、このナット４８に足ボルト２２がねじ込まれている。
　　　【００１８】
　補強アングル４６は、本実施例ではコ字形断面形状のものであり、その下面部及び上面部にはそれぞれ開口５０，５２が穿設されている。足ボルト
２２
５０
２２
　　　【００１９】
　本実施例においても、工具２８を防水パン４０の上方から貫通孔５４に挿入する。そして、工具２８の先端を足ボルト２２の上端の係合溝３０に係合させ、足ボルト２２を回転させて防水パン４０のレベル調節を行なう。その後、貫通孔５４を塞ぐようにステンレステープ５６を壁パネル載置部４４に張り付け、その後壁パネル４２を該壁パネル載置部４４上に立設する。第８，９図の符号５８，６０はそれぞれシリコンコーキングを示す。
　　　【００２０】
　本実施例においても、防水パン４０の上方から工具２８を貫通孔５４に差し込んで足ボルト２２の回転を行なうことができ、防水パン４０のレベル調節をきわめて容易かつ迅速に行なうことができる。
　　　【００２１】
　なお、レベル調整後に足ボルト２２を固定する場合、上記実施例と同様に接着剤を用いても良いが、工具を差し込めるときにはロックナットを足ボルト２２に締め込んでも良い。
　　　【００２２】
　上記実施例は本発明の一例であって、本発明は上記以外の箇所に足ボルトが設けられていても良い。例えば、防水パン上に袖壁や仕切壁或いは浴槽エプロンなどを立設するに際し、防水パンの床面部分に部分的に高段部を設ける場合があるが、この高段部の下側に足ボルトを配置する場合にも本発明を適用できる。
　　　【００２３】
　更に、防水パン上に浴槽を載置する場合、浴槽の脚を載せるための高段部を設ける場合があるが、この高段部の下側に足ボルトを配置する場合にも本発明を適用できる。
　　　【００２４】
　第１０図はそのような実施例方法を説明する分解斜視図である。第１０図において、防水パン６４には、エプロン６６を立設するための高段部６８と、浴槽の脚を載せるための高段部７０とが設けられている。防水パン６４の下側に補強フレーム７０
Ｆ
Ｆ
Ｆ
　　　【００２５】
　この第１０図の実施例においても、防水パン６４のレベル調節をきわめて容易かつ迅速に行なうことができる。
　　　【００２６】
　上記実施例においては、テープとしてステンレステープが用いられているが、このステンレステープは高強度で破れにくく、しかも耐食性に優れているので好適である。但し、本発明ではアルミテープや合成樹脂テープなどを用いても良い。このテープは、予め粘着剤や接着剤が付着されているものであっても良く、現場において接着剤や粘着剤が該テープ又は防水パンに付着されて防水パンに接合されるものであっても良い。
　　　【００２７】
　防水パンに上記の貫通孔を形成するのに好適な方法を第１１，１２図を参照して次に説明する。第１１図において、ＦＲＰ製の防水パン本体８８の裏側（第１１図においては上面側）に補強フレーム９０がオーバーレイ等により固着されている。補強フレーム９０には開口９２が穿設されると共に、該開口９０と同軸的にナット９４が溶接等により固着されている。短いパイプ９６をこのナット９４及び開口９２に差し込み、このパイプ９６内にドリル９８を差し込んで防水パン本体８８に貫通孔を穿設する。その後、バリ取りなどの仕上げ処理を施し、貫通孔穿設作業が終了する。このパイプ９６をナット９４内に差し込んでおくことにより、ドリル９８がナット９４の雌螺子を傷付けることが防止される。
　　　【００２８】
　　【発明の効果】
　以上の通り、本発明の防水パンのレベル調節方法によると、防水パンに設けられた貫通孔に上方から工具を差し込んで足ボルトを回転させ、防水パンのレベル調節を行なうことができ、このレベル調節作業がきわめて容易かつ迅速に行なえるものとなる。
【図面の簡単な説明】
　　【図１】
　本発明の実施例方法を説明する縦断面図である。
　　【図２】
　実施例方法を説明する要部斜視図である。
　　【図３】
　実施例方法を説明する要部斜視図である。
　　【図４】
　実施例方法を説明する縦断面図である。
　　【図５】
　別の実施例方法を説明する斜視断面図である。
　　【図６】
　図５の実施例方法を説明する縦断面図である。
　　【図７】
　図５の実施例方法を説明する斜視図である。．
　　【図８】
　図５の実施例方法を説明する縦断面図である。
　　【図９】
　図５の実施例方法を説明する縦断面図である。
　【図１０】
さらに別の実施例方法を説明する分解斜視図である。
　【図１１】
防水パンに貫通孔を穿設する方法を説明する縦断面図である。
　【図１２】
防水パンに貫通孔を穿設する方法を説明する縦断面図である。
　【符号の説明】
１０，４０，６４　防水パン
１２，８８　防水パン本体
１６　タイル
１８，７０
Ｆ
２２，７２，７４　足ボルト
３２，５４，７６，７８　貫通孔
４６　補強アングル
３６，５６，８０，８２　ステンレステープ
４４　壁パネル載置部
６８，７０　高段部
【図面】